(57)【特許請求の範囲】
【請求項１】
少なくとも２つの平行な長手方向セクションであって、各平行な長手方向セクションが、ペダルを支持するための頂面と、取付手段を収容するために開くチャネルを形成する少なくとも２つの下方溝と、を有する、長手方向セクションと、
少なくとも２つの端部ピースと、
を備える、電気機器のためのペダルボード支持体であって、
前記少なくとも２つの端部ピースのそれぞれが、前記開くチャネル内に配置された前記取付手段を通じて前記長手方向セクションのそれぞれの端部において前記少なくとも２つの平行な長手方向セクションをともに結合することを特徴とするペダルボード支持体。
【請求項２】
前記少なくとも２つの溝が、前記少なくとも２つの平行な長手方向セクションの少なくとも１つの前記頂面上に位置づけられていることを特徴とする請求項１に記載のペダルボード支持体。
【請求項３】
前記少なくとも２つの溝が、前記少なくとも２つの平行な長手方向セクションの少なくとも１つの前記頂面及び下面双方上に位置づけられていることを特徴とする請求項１に記載のペダルボード支持体。
【請求項４】
前記ペダルボード支持体が、直角の“Ｃ”形状の横断面を有する第１部分を備えるケーブル支持ピースをさらに備え、前記第１部分の対向アームが、前記溝の２つ内に挿入され、前記第１部分が、ケーブルを収容するための少なくとも１つの内部空間を形成する前記ケーブル支持ピースの第２部分に結合されていることを特徴とする請求項１に記載のペダルボード支持体。
【請求項５】
前記少なくとも２つの平行な長手方向セクションが、それらの間に少なくとも１つの空間を有していることを特徴とする請求項１に記載のペダルボード支持体。
【請求項６】
各平行な長手方向セクションが、少なくとも３つの溝を有していることを特徴とする請求項１に記載のペダルボード支持体。
【請求項７】
前記少なくとも２つの端部ピースの１つが、一側において、前記少なくとも２つの平行な長手方向セクションを結合し、他側において、別の少なくとも２つの長手方向セクションを結合するように構成されていることを特徴とする請求項１に記載のペダルボード支持体。
【請求項８】
前記別の少なくとも２つの長手方向セクションが、前記少なくとも２つの端部ピースの１つのそれぞれの側に取り付けられた各少なくとも２つの長手方向セクションがそれらの間に１８０°と異なる角度を形成するように結合されていることを特徴とする請求項７に記載のペダルボード支持体。
【請求項９】
前記取付手段が、ネジ取付手段であることを特徴とする請求項１に記載のペダルボード支持体。
【請求項１０】
請求項１に記載の、前記少なくとも２つの長手方向セクション、前記少なくとも２つの端部ピース及び前記取付手段を備えるキット。
【請求項１１】
前記少なくとも２つの長手方向セクション、前記少なくとも２つの端部ピース及び前記取付手段が、同じパッケージ内に配置されていることを特徴とする請求項１０に記載のキット。
【請求項１２】
少なくとも２つの平行な長手方向セクションであって、各平行な長手方向セクションが、ペダルを支持するための頂面と、取付手段を収容するために開くチャネルを形成する少なくとも２つの下方溝と、を有する、長手方向セクションと、
少なくとも２つの端部ピースと、
を備える、電気機器のためのペダルボード支持体であって、
前記少なくとも２つの端部ピースのそれぞれが、前記開くチャネル内に配置された前記取付手段を通じて前記長手方向セクションのそれぞれの端部において前記少なくとも２つの平行な長手方向セクションをともに結合し、
前記少なくとも２つの平行な長手方向セクションが、外部に開くチャネルを形成する前記頂面上の少なくとも１つの長手方向溝を備えていることを特徴とするペダルボード支持体。
【請求項１３】
前記チャネルが、前記頂面上の前記少なくとも１つの長手方向溝に物品を取り付けるように構成されていることを特徴とする請求項１２に記載のペダルボード支持体。
【請求項１４】
前記物品が、Ｌ形状の支持ピースを通じて前記少なくとも１つの長手方向溝に取り付けられるペダルであり、このため、前記支持ピースの第１側が、前記ペダルの一側と係合し、前記支持ピースの第２側が、ネジ接続部を通じて前記頂面上の前記少なくとも１つの長手方向溝の１つ内に固定されていることを特徴とする請求項１３に記載のペダルボード支持体。
【請求項１５】
前記物品が、第２床部であって、
前記少なくとも２つの長手方向セクションよりも短い長さを有する２つの平行な長手方向セクションと、
前記頂面において前記溝と係合するように構成された結合ピースと、
を備える、第２床部であることを特徴とする請求項１３に記載のペダルボード支持体。
【請求項１６】
前記少なくとも２つの端部ピースの１つが、一側において、前記少なくとも２つの平行な長手方向セクションを結合し、他側において、別の少なくとも２つの長手方向セクションを結合するように構成されていることを特徴とする請求項１２に記載のペダルボード支持体。
【請求項１７】
前記別の少なくとも２つの長手方向セクションが、前記少なくとも２つの端部ピースの１つのそれぞれの側に取り付けられた各少なくとも２つの長手方向セクションがそれらの間に１８０°と異なる角度を形成するように結合されていることを特徴とする請求項１６に記載のペダルボード支持体。
【請求項１８】
請求項１２に記載の、前記少なくとも２つの長手方向セクション、前記少なくとも２つの端部ピース及び前記取付手段を備えるキット。
【請求項１９】
前記少なくとも２つの長手方向セクション、前記少なくとも２つの端部ピース及び前記取付手段が、同じパッケージ内に配置されていることを特徴とする請求項１８に記載のキット。
【発明の詳細な説明】
【技術分野】
【０００１】
本発明は、電気機器のための又は電気的に増幅される楽器、例えばエレキ・ギターのためのペダルボード支持体に関する。
【背景技術】
【０００２】
ペダルボード支持体は、単に“ペダルボード”としても公知である。
【０００３】
現在、市販のペダルボード支持体は、ペダルを取り付けるために１つ以上の固定面を有するボード又は固定構造体を備え、電気的に増幅される楽器又は電子機器を制御する。一般に、これらペダルは、エフェクトペダルである。ペダルは、さまざまな公知の方法、例えば特にベルクロ（登録商標）タイプの取付具又は粗面を使用することによって取り付けられてもよい。
【０００４】
ペダルボード支持体の一例は、特許文献１で説明されているものがあり、特許文献１は、その中に孔を有する四角形の支持構造体と、当該支持構造体上に固定された少なくとも４つの滑らかな取付面と、を備えるペダルボード支持体を開示している。孔は、取付面上に位置づけられたペダルのためのケーブルが通過することを可能にする。
【０００５】
このタイプのペダルボード支持体及び最新式の他のペダルボード支持体は、複数の点において不利である。第１に、ペダルボード支持体が非常に大きな空間を占める三次元構造体であることに起因して、ペダルボード支持体を輸送するために費用がかかり、このことは、ペダルボード支持体をより高価にし、且つ演奏家がペダルボード支持体を移動させるための費用を高くさせる。第２に、ペダルボード支持体の表面が製造者の設計によって決定され、このことは、演奏者が自身の理想的な配置を選択することが頻繁にできないか、又は必要であるものよりも極めて大きなペダルボードを入手しなければならないことを意味する。第３に、演奏者が、利用可能なペダルの数を増やす必要がある場合に、ほとんどの場合、これは、新たな支持体を購入することを伴うとともに、時には自身の古いペダルボード支持体を処分する必要がある。
【先行技術文献】
【特許文献】
【０００６】
【特許文献１】米国特許第６４５９０２３号明細書
【発明の概要】
【発明が解決しようとする課題】
【０００７】
本発明の１つの目的は、容易に輸送でき、モジュール式であり且つ分解可能であるとともに拡張可能であり且つ追加的な構成要素を容易に加えることができるペダルボード支持体を提供することによって、上述した不利な点の解決法を提供することである。
【課題を解決するための手段】
【０００８】
特に、本発明は、少なくとも２つの平行な長手方向セクションを備えるタイプのペダルボード支持体であって、各長手方向セクションが、ペダルを支持するための頂面と、下面と、を有する、支持体に関する。この支持体は、各長手方向セクションが、取付手段を収容するために開くチャネルを形成する少なくとも２つの溝を備え、さらに、支持体が、少なくとも２つの端部ピースを備え、これら端部ピースの１つが、長手方向セクションの端部の１つにおいて取付手段を通じて長手方向セクションをともに結合することを特徴とする。好ましくは、取付手段は、ネジ取付手段である。
【０００９】
本発明の別の目的は、少なくとも２つの平行な長手方向セクションを備えるペダルボード支持体であって、各長手方向セクションが、ペダルを支持するための頂面と、下面と、を有する、支持体を提供することである。この支持体は、下面が、取付手段を収容するために少なくとも２つの下方溝を備え、支持体が、少なくとも２つの端部ピースも備え、これら端部ピースのそれぞれが、長手方向セクションの端部の１つにおいて、チャネル内に位置づけられた取付手段を通じて長手方向セクションをともに結合することを特徴とする。
【００１０】
本発明のさらに別の目的は、少なくとも２つの平行な長手方向セクションを備えるペダルボード支持体であって、各長手方向セクションが、ペダルを支持するための頂面と、下面と、を有する、支持体を提供することである。この支持体は、少なくとも１つの長手方向セクションが、その頂面において取付手段を収容するために開くチャネルを形成する少なくとも２つの溝を備え、前記支持体が、少なくとも２つの端部ピースも備え、端部ピースのそれぞれが、長手方向セクションの端部の１つにおいて取付手段を通じて長手方向セクションをともに結合することを特徴とする。このケースでは、支持体の頂面に位置づけられた溝は、これら溝への取り付けの手段を通じて、ペダル又は他のアクセサリを頂面に取り付けるように構成される。
【００１１】
本発明の別の目的は、少なくとも２つの平行な長手方向セクションを備えるペダルボード支持体であって、各長手方向セクションが、ペダルを支持するための頂面と、下面と、を有する、支持体を提供することである。この支持体は、少なくとも１つの長手方向セクションが、その頂面においてＬＥＤのセットを備え、少なくとも１つの長手方向セクションが、その下面において取付手段を収容するために開くチャネルを形成する少なくとも２つの下方溝を備え、支持体が、少なくとも２つの端部ピースをさらに備え、これら端部ピースのそれぞれが、長手方向セクションの端部の１つにおいて取付手段を通じて長手方向セクションをともに結合することを特徴とする。このケースでは、支持体の下面に位置づけられた溝は、溝への取り付けの手段を通じてＬＥＤを備える長手方向セクションを取り付けるために使用される。
【００１２】
本発明によるペダルボード支持体は、エンドユーザによって組み立て及び分解されてもよく、エンドユーザが、分解された状態では最小の空間の使用でペダルボード支持体を移動させることが可能になる。ネジ接続部は、ペダルボード支持体が、支持体のいかなる機械的特性もロスすることなくエンドユーザによって組み立て及び分解されることを可能にする。長手方向セクションの使用は、中間位置において追加的な構成要素、例えばペダルボードの第２床部を取り付けるために使用することができるチャネルを提供することを可能にする。
【００１３】
好ましくは、溝は、少なくとも１つの長手方向セクションの下面に位置づけられている。
【００１４】
好ましくは、溝は、少なくとも１つの長手方向セクションの頂面に位置づけられている。
【００１５】
好ましくは、溝は、少なくとも１つの長手方向セクションの頂面及び下面双方に位置づけられている。
【００１６】
好ましくは、支持体は、直角の“Ｃ”形状の横断面を有する第１部分を備えるケーブル支持ピースを備え、第１部分の対向アームは、溝の２つ内に挿入され、第１部分は、ケーブルを収容するために少なくとも１つの内部空間を提供するピースの第２部分に取り付けられている。
【００１７】
好ましくは、少なくとも１つの長手方向セクションは、その頂面にＬＥＤのセットを備えている。より好ましくは、このＬＥＤのセットは、リモート制御により制御される。好ましくは、平行なセクションは、それらの間に空間を有している。
【００１８】
同様の好ましい方法では、セクションは、上述した溝を３つ有している。この構成は、端部ピースへの取付手段を収容するために２つの溝を専用とし、持上部品、例えばタブ、脚部、延長可能な脚部などを取り付けるために第３の溝（有利には中間溝）を専用とすることを可能にする。
【００１９】
有利には、本発明は、両側でセクション、例えば上述されたセクションを結合するための部品を有する端部ピースを使用することを可能にする。これは、端部ピースによりともに一列に結合されたセクションを配置することによってペダルボード支持体の長さを延長することを可能にする。端部ピースは、直線又は任意の他の幾何学的形状であってもよく、且つ例えば上述したセクションの結合部品の２つのセットを有してもよい。
【００２０】
さらにより好ましい方法では、支持体は、長手方向ピースを結合する部品の２つのセットが、それらの間に角度を形成し、このため、端部ピースの両側に取り付けられた長手方向セクションが、それらの間に０と異なる角度を形成することを特徴とする。
【００２１】
本発明の別の追加的な目的は、エンドユーザによって本発明によるペダルボードを組み立てるために長手セクション、端部ピース及び取付手段を備えるキットを提供することである。好ましくは、長手方向セクション、端部ピース及び取付手段は、同じパッケージ内に位置づけられている。
【００２２】
より好ましく理解するために、本発明が関係するペダルボード支持体の一実施形態の図が、説明的であるが非限定的な例を用いて提供される。
【図面の簡単な説明】
【００２３】
【図１】本発明によるペダルボード支持体の第１実施形態の斜視図を示す。
【図２】本発明の第１実施形態による、結合部品が分解された状態で端部ピースと長手セクションとの間の結合部の細部の斜視図を示す。
【図３】組立位置での結合部品を見ることができる、図１及び図２で説明された実施形態の横断面図の斜視図を示す。
【図４】図１から図３の実施形態に示される端部ピースの１つの斜視図を示す。
【図５】図４での端部ピースの横断面図を示す。
【図６】本発明によるペダルボード支持体に連結することができる、ペダルボードケーブルを支持するピースの斜視図を示す。
【図７】ケーブル支持ピースと長手方向セクションとの間の結合を見ることができる、図１から図３の実施形態で使用される長手方向セクションと、図６のケーブル支持ピースと、の横断面図を示す。
【図８】図１から図３の実施形態のものと類似するペダルボード支持ユニットが異なる幾何学的形状の端部ピースによって結合され、支持ユニットの１つが第２床部を有する、本発明による第２実施形態の斜視図を示す。
【図９】第２実施形態によるペダルボード支持ユニットが異なる幾何学的形状を有する端部ピースによってともに結合され、支持ユニットの１つが第２床部及びペダルボードを有する、本発明による第３実施形態の斜視図を示す。
【図１０】図９で説明された第２実施形態によるペダルボード支持ユニットの１つとともに、第２床部とペダルボードとの間の結合部の細部の斜視図を示す。
【図１１】第３実施形態によるペダルボード支持ユニットが異なる幾何学的形状の端部ピースによって結合された、本発明による第４実施形態の斜視図を示す。
【発明を実施するための形態】
【００２４】
図１から図３は、本発明によるペダルボード支持体１の第１実施形態を示している。第１実施形態では、ペダルボード１は、互いから分離された４つの平行な長手方向セクション２，３，４，５を備えている。長手方向セクション２，３，４，５は、それらそれぞれの２つの端部の一方によって、互いに同じである対応する端部ピース６，７にともに結合されている。このケースでは、長手方向セクションは、押出アルミニウムセクションであってもよい。ペダル１００のための頂部支持面は、セクション２，３，４，５自体の表面、又は任意の手段によってセクション２，３，４，５に付着もしくは接着された粗面であってもよい。
【００２５】
長手方向セクション２，３，４，５は、ペダル１００を受けるための頂面と、本発明の第１実施形態によれば、３つの長手方向溝２１，２２，２３，５１，５２，５３を有する下面であって、溝のそれぞれが、外部に開くチャネルを形成する、下面と、を有している。溝２１，２２，２３，５１，５２，５３は、それらの端部で小さい突出部を有し、これら突出部は、ナット２１１，２３１，５１１，５３１が重力の影響に起因して落下することなくこれらの溝に沿って移動することを可能にする。
【００２６】
ナット２１１，２３１，５１１，５３１の多角形形状に起因して、それらナットは、チャネル内で回転することができず、このことは、雄型ネジ部品が、ナット２１１，２３１，５１１，５３１を不動にすることを必要とすることなく、これらナット内に螺合するか又はナットから螺合解除することができることを意味する。
【００２７】
説明される実施例での各長手方向セクション２，３，４，５に存在する３つの溝の各溝２１，２３，５１，５３は、ナット２１１，２３１，５１１，５３１を収容し、これらナットは、同様に、端部ピース６，７への取り付けのためのネジボルト２１２，２３２，５１２，５３２をそれぞれ受ける。同様に、最も外側の長手方向セクション２，５の中央溝２２，５２は、脚部９，８を取り付けるための幅の広いヘッド付きボルト６２１，８２１を収容する。脚部８は、シンプルな支持脚である一方で、他方の脚部９は、ボール及びソケットジョイント９１のサポートによって延長することができ、支持体１の傾斜は、このジョイントを通じて調節することができる。
【００２８】
図４及び図５は、端部ピース又はガイド６の実施形態の一例を示している。説明される実施形態では、端部ピース又はガイド６は、押出アルミニウムセクションであってもよい。このセクションは、平行な長手方向セクション２，３，４，５を固定することに役立つ皿孔６１，６３のセットを取付手段として有している。端部ピース６は、所望の長さに形成され、且つ平行セクションの２つ、３つ、４つ、５つ又は所望の数のための開口部を有してもよい。端部ピース６の端部それぞれにおいて脚部９，８を取り付けるための追加孔６２が設けられている。
【００２９】
図６は、ペダルボードケーブルのための支持ピース１０の斜視図を示している。このピース１０は、直角の“Ｃ”形状の横断面を有する第１部分１１を備え、第１部分の対向アーム１１１，１１２が、長手方向セクション２，３，４，５に取り付けられる。さらに、この第１部分１１は、アーム１１１，１１２の前方でピース１０の第２部分１２に結合され、第２部分１２は、第１部分１１と第２部分１２との間に２つの内部空間１２１，１２２をそれぞれ規定し、ペダルボードケーブルは、内部空間内に挿入されて格納される。例として、図６及び図７に示されるように、パーツ１０のこの第２部分１２は、第１部分１１のアーム１１１，１１２と同じ方向において２つの対向アーム１２３，１２４を規定する湾曲した“Ｃ”形状の横断面を備えている。図７は、本発明で使用される平行な長手方向セクションのうちの１つの長手方向セクション２の横断面を示している。これらセクションは、所望の長さに切断されてもよい。各セクションは、溝２１，２２，２３を備え、溝２１，２２，２３は、本発明によるこの第１実施形態では、溝に沿って移動することができる（図２及び図３で説明される）ナット２１１，２３１，５１１，５３１を収納するために使用される。端部ピース６，７と長手方向セクション２，３，４，５のそれぞれとの間の結合は、ネジ接続を使用してなされてもよい。その多角形ヘッドに起因して、ナットは回転を防止する。このようにして、任意の雄型ネジ部品は、いかなるナットの保持も必要なく螺合することができる。
【００３０】
さらに、図７は、ケーブルのための支持ピース１０、例えば図６に示される支持ピースが、長手方向セクション２，３，４，５に取り付けられる方法を示している。ピース１０の第１部分１１のアーム１１１，１１２は、それぞれ溝２１，２３内に挿入され、このため、アーム１１１，１１２は、長手方向セクションにおける（長手方向溝２１及び２２の間に位置づけられた）突出部２２１と（長手方向溝２２及び２３の間に位置づけられた）突出部２３１との間で固定される。この実施形態では、第２部分１２のアーム１２３，１２４のサイズは、第１部分１１のアーム１１１，１１２のサイズよりも大きく、従ってペダルボードケーブル１２５のための安定した支持を提供する。
【００３１】
図８は、本発明によるペダルボードを支持するためのさらなる第２実施形態を示している。この実施形態は、図１から図３に示されるものと類似する平行セクションの３つのセット１，１’，１”を備えている。隣接した各セットは、共通の端部ピース６’，６”を共有し、共通の端部ピースは、各セットを隣接するピースに結合することによってセット１，１’，１”をともに結合する。複数の端部ピースのうちの１つの端部ピース６’は、その側面のそれぞれに位置づけられた長手方向セクションに対するその結合孔の２つのセットの間で０と異なる角度を有する曲げピースであり、その結果、隣接するセット１’，１”は、それらの間に０と異なる角度を形成する。同様に、複数のセクションの下方のセットのうちの１つのセット１上で小さい寸法の２つの平行な長手方向セクションを備える第２床部１’’’が示されている。この第２床部１’’’は、例えば、この第２床部を高くする結合ピース２００，２０１によって固定され、続いて、これら結合ピース２００，２０１は、例えば、下方床部１（図面には示されていない結合部）においてセクションの下面における溝に取り付けられている。
【００３２】
図９及び図１０は、第２実施形態によるペダルボード支持ユニット３０，３０’の第３実施形態を示している。ペダルボード支持体３０，３０’のこの第２実施形態は、長手方向セクションの間に空間を有していない７つの平行な長手方向セクションを備えている。７つの長手方向セクションは、それらそれぞれの２つの端部において、図４で説明された実施形態のものと類似する端部ピース３１にともに結合されている。このケースでは、長手方向セクション及び端部ピース双方が、押出アルミニウムセクションであってもよい。各長手方向セクションは、ペダル３１３を受けるために上面を有し、且つこの第２実施形態では３つの長手方向溝３０１，３０２，３０３を有し、溝のそれぞれは、外部に開くチャネルを形成している。これら開くチャネルは、ペダル３１３が支持ピース３２０を通じて支持体３０，３０’の頂面上に位置づけられた溝に取り付けられることを可能にする。支持ピース３２０は、例えば、“Ｌ”形状であり、このため、当該ピース３２０の第１側が、ペダル３１３の一側と係合し、当該ピース３２０の第２側が、ネジ接続部３１４，３１５を通じて、支持体３０，３０’の頂面上で複数の溝のうちの１つの溝内に固定される。
【００３３】
同様に、複数の下方の支持セクションのうちの１つの支持セクション３０よりも上に位置づけられたより短い寸法の２つの平行な長手方向セクションを備えている第２床部３０”が示されている。この第２床部３０”は、例えば、この第２床部を高くする結合ピース３１１，３１２によって固定され、続いて、これら結合ピース３１１，３１２は、例えば、それらの対応する支持ピース３１６，３１７を通じて、下方の床部３０におけるセクションの頂面の溝に取り付けられている。
【００３４】
ペダルボード支持体３０，３０’は、支持体３０，３０’をともに結合する共通の端部ピース３１’を共有している。この端部ピース３１’は、その側面のそれぞれに位置づけられたペダルボード支持体３０，３０’に対するその結合孔の２つのセットの間で０と異なる角度を有する曲げピースであり、その結果、ペダルボード支持体３０，３０’は、それらの間に０と異なる角度を形成する。
【００３５】
図１１は、第３実施形態によるペダルボード支持ユニット４０，４０’の第３実施形態を示している。ペダルボード支持体４０，４０’のこの第３実施形態は、長手方向セクションの間に空間を有していない７つの平行な長手方向セクションを備えている。この第３実施形態に従えば、７つの長手セクションの４つは、図１から図３に示されるタイプ４０１からなり、７つの長手セクションの３つは、それらの中にＬＥＤ、例えばＲＧＢ白色孔タイプを備えるタイプ４０２、又はその上面に沿って可変強度の色を有するタイプからなる。さらに、ＬＥＤを有するセクション４０２は、メタクリル樹脂からなる。長手方向セクションの２つのタイプ４０１，４０２は、支持体４０，４０’上に交互に位置づけられ、且つそれらの２つのそれぞれの端部において図４及び図９で説明された実施形態のものと類似する端部ピース４１に結合されている。タイプ４０２の長手方向セクション上のＬＥＤの制御は、リモート制御（図示せず）を通じて可能である。
【００３６】
タイプ４０１の長手方向セクションは、ペダルのための頂部支持面を備え、頂部支持面は、セクション自体の表面、又は任意の手段によりセクションに付着もしくは接着された粗面であってもよい。この頂面は、頂面にペダルを取り付けるために“ベルクロ（登録商標）”タイプの表面を備えてもよい。
【００３７】
タイプ４０１の長手方向セクションは、この第３実施形態に従えば３つの長手方向溝（図示せず）を有する下面を有し、溝のそれぞれは、外部に開くチャネルを形成している。これら開くチャネルは、ネジ接続部により支持体４０，４０’の頂面よりも上に位置づけられたタイプ４０２のセクションを取り付けるために使用することができ、このため、タイプ４０２の長手方向セクションは、タイプ４０１の２つの長手方向セクション（図示せず）の間でその下面を通じて固定される。
【００３８】
ペダルボード支持体４０，４０’は、支持体４０，４０’をともに結合する共通の端部ピース４１’を共有している。この端部ピース４１’は、その側面のそれぞれに位置づけられたペダルボード支持体４０，４０’に対するその結合孔の２つのセットの間で０と異なる角度を有する曲げピースであり、その結果、ペダルボード支持体４０，４０’は、それらの間に０と異なる角度を形成する。このケースでは、端部ピース４１’は、タイプ４０２の長手方向セクションに関して同じタイプのＬＥＤの少なくとも３つのストリップ４０３を備えている。
【００３９】
最後に、本発明によるペダルボード支持体のさまざまな実施形態によるペダルボード支持体を備える全部品（長手方向セクション、端部ピース及び取付部材）は、それらがエンドユーザによって組み立て及び分解することができるように、キットの形態のボックス内に配置されてもよい。このように、このペダルボード支持体は、分解された状態では最小空間を占めることができる。ペダルボード支持体の組み立て及び分解は、使用者にとって容易であり、さらに、このことは、使用者の要望に従って上述した部品の組み合わせにおいてさまざまな変形を可能にする。
【００４０】
本発明が、好ましい実施形態に関して説明されたが、これらは、本発明を限定するものとみなされてはならず、本発明は、以下の特許請求の範囲の広い解釈で規定される。
【符号の説明】
【００４１】
１，３０，３０’，４０，４０’  ペダルボード支持体、２，３，４，５  長手方向セクション、６，６’，６”，７，３１，３１’，４１，４１’  端部ピース、１０  ケーブル支持ピース、１１  第１部分、１２  第２部分、２１，２２，２３，５１，５２，５３  下方溝、１００，３１３  ペダル、１１１，１１２  対向アーム、１２１，１２２  内部空間、２１１，２３１，５１１，５３１，２１２，２３２，５１２，５３２  取付手段
【図１】
0006273295.tif 000002
【図２】
0006273295.tif 000003
【図３】
0006273295.tif 000004
【図４】
0006273295.tif 000005
【図５】
0006273295.tif 000006
【図６】
0006273295.tif 000007
【図７】
0006273295.tif 000008
【図８】
0006273295.tif 000009
【図９】
0006273295.tif 000010
【図１０】
0006273295.tif 000011
【図１１】
0006273295.tif 000012